(57)【特許請求の範囲】
【請求項１】
操作部に透光性の照明部を有する少なくとも２つの操作ノブと、該操作ノブをそれぞれ収納する少なくとも２つの収納筒部と、該収納筒部が背面側に突出するように一体的に設けられ、前記操作ノブを前面側で回転可能に配置する表示パネルと、該表示パネルの背面側で前記収納筒部のそれぞれの中間に配置される光源とを備えた表示装置において、少なくとも１つの前記収納筒部の前記光源から遠方側の側壁に設けられ、前記操作ノブの照明部に光を反射させる第１の反射板と、前記収納筒部の前記光源寄りの側壁に設けられ、前記光源から前記操作ノブの照明部に直接照射される光を遮断する遮光部と、前記光源から照射される光の一部を前記操作ノブの照明部に通す第２のスリットを該遮光部に設け、該第２のスリットの開口面積を変更することにより前記操作ノブの照明部に直接照射される光の照射量を調整可能とすると共に、前記第１の反射板と前記遮光部とを前記表示パネルに一体的に白色部材にて形成したことを特徴とする表示装置。
【請求項２】
前記表示パネルの前記収納筒部の周りにそれぞれ設けられた透光性の標示部と、前記表示パネルの内面側に形成される裏面側壁部と、該裏面側壁部に前記光源からの光を通す第１のスリットを前記第１の反射板に設け、前記第１のスリットを通った光を前記表示パネルの裏面側壁部で反射させることにより、前記光源から離れた位置にある前記標示部を照明するようにしたことを特徴とする請求項１に記載の表示装置。
【請求項３】
前記収納筒部の後端から延出する円筒状の第２の反射板を設け、該第２の反射板が前記遮光部であるとともに、前記第１の反射板の後端部分が第２の反射板と一体としたことを特徴とする請求項１または２に記載の表示装置。
【発明の詳細な説明】
【０００１】
【発明が属する技術分野】
本発明は、自動車などのヒータコントロールパネル、オーディオパネルなど、情報を伝えるための表示装置に関する。
【０００２】
【従来の技術】
従来、この種のパネルは例えば特開平１１−９５６９６号公報に示すものが開示されている。このものは、文字や、図形などの標示部を、透光性とし、夜間においては、背面から光を照射し、その標示部を浮き上がらせ、昼間においては、外部からの自然光などによって、標示部を認識させることができる表示パネルであり、この表示パネルの製造は、インモールド成形によって、透明性樹脂を、その表面側に、白、赤、青などの透光性インモールドインク部分と、遮光性の黒色のインモールドインク部分とを設けた状態で、成形することによって行われている。しかし、黒色のインモールドインク部分には、ピンホール部が形成されて光漏れが発生する可能性があり、そのため別部材の遮光性のパネルを用意し、黒色のインモールドインク部分を覆って光漏れを防ぐ必要があった。
【０００３】
また、表示パネルを遮光性の黒色部材にて形成した場合、標示部に光を通す開口部を設けてインモールド成形によって、その表面に、白、赤、青などの透光性のインモールドインクを備えたフィルムを一体的に設けることにより、光漏れのない表示パネルとすることができるが、表示パネルには通常ノブやスイッチボタンなどが配置され、表示パネルの裏面からノブの軸部及び、その軸受部が突出するため、光源からの標示部及び操作ノブの照明部への光が遮断される場合があり、この場合、各標示部及び照明部を均一に照射するのが困難となり、これを改善するためにレンズ等の導光板や反射板を別途設けて標示部及び照明部に光を導いたり、各標示部及び照明部に対してそれぞれバルブを設置していた。
【０００４】
【発明が解決しようとする課題】
この発明はこの点に着目し、光源の数を増やしたり、光漏れを防ぐパネルや、導光板及び反射板等の別部材を必要とせずに各標示部及び照明部を均一に照明することができる、低コストの表示装置を提供することを目的とするものである。
【０００５】
【課題を解決するための手段】
上記課題を達成するために本発明では、操作部に透光性の照明部を有する少なくとも２つの操作ノブと、該操作ノブをそれぞれ収納する少なくとも２つの収納筒部と、該収納筒部が背面側に突出するように一体的に設けられ、前記操作ノブを前面側で回転可能に配置する表示パネルと、該表示パネルの背面側で前記収納筒部のそれぞれの中間に配置される光源とを備えた表示装置において、少なくとも１つの前記収納筒部の前記光源から遠方側の側壁に設けられ、前記操作ノブの照明部に光を反射させる第１の反射板と、前記収納筒部の前記光源寄りの側壁に設けられ、前記光源から前記操作ノブの照明部に直接照射される光を遮断する遮光部と、前記光源から照射される光の一部を前記操作ノブの照明部に通す第２のスリットを該遮光部に設け、該第２のスリットの開口面積を変更することにより前記操作ノブの照明部に直接照射される光の照射量を調整可能とすると共に、前記第１の反射板と前記遮光部とを前記表示パネルに一体的に白色部材にて形成したものである。
【０００６】
このように構成することにより、表示パネルを白色部材で形成しているため表示パネルの裏面を反射面とすることができ、表示パネルに板部を一体的に形成するだけで、その板部が反射板として機能すると共に、光源からの光が白色反射面により乱反射され、反射方向に広く略均一に光が照射され、照射ムラのない反射光を得ることができる。
【０００７】
また、操作ノブ又は収納筒部の影になり光が遮断されて照射できない位置に操作ノブの照明部が位置していても、表示パネルに一体的に形成された第１の反射板による反射光によって照明部を照射できるようになる。
【０００８】
さらに、操作ノブへの光源からの直接光の照射量を第２のスリットの開口面積を変更するだけで調整できるようになり、第１の反射板による反射光と同等の照射量になるように第２のスリットの開口面積を調整することにより、操作ノブの照明部がどの位置にある時でも均一に照明することができる。
【０００９】
また、本発明の表示装置では、前記表示パネルの前記収納筒部の周りにそれぞれ設けられた透光性の標示部と、前記表示パネルの内面側に形成される裏面側壁部と、該裏面側壁部に前記光源からの光を通す第１のスリットを前記第１の反射板に設け、前記第１のスリットを通った光を前記表示パネルの裏面側壁部で反射させることにより、前記光源から離れた位置にある前記標示部を照明するようにしてもよい。
【００１０】
このように、第１の反射板に光源からの光を表示パネルの裏面側壁部に通すスリットを設けることにより、収納筒部の光源から離れた位置にあり、操作ノブ又は収納筒部により光源からの光が遮断されて照射できない標示部を、表示パネルの裏面側壁部を反射面として利用することにより照射できるようになる。
【００１１】
本発明の表示装置では、前記収納筒部の後端から延出する円筒状の第２の反射板を設け、該第２の反射板が前記遮光部であるとともに、前記第１の反射板の後端部分が第２の反射板と一体としてもよい。
【００１２】
このような構成を採用すれば、光源からの光と第１の反射板からの反射光の一部が、円筒状の第２の反射板の内周面によって操作ノブ方向へ反射され、操作ノブの照明部をより高照度で照明することができるようになる。
【００１３】
【発明の実施の形態】
以下、本発明の実施の形態を図面に従って説明する。図１は本発明の表示装置の断面図、図２は、本発明の表示装置を適用した自動車のヒータコントロール装置の分解図、図３は表示パネルに形成された標示部の断面拡大図である。尚、図２の左下方に対応する側を前側、右上方に対応する側を後側とし、右下方に対応する側を右側、左上方に対応する側を左側として説明する。
【００１４】
図２に示すように、１は温度、風量、風向等を標示する表示パネル、４は表示パネルを固定する箱状のケース、５は光源である２つのバルブ５２、５３を取り付けたプリント基板、１０は操作ノブであるが、取付位置によって、温度調整用の操作ノブ１０ａ、風量調整用の操作ノブ１０ｂ、風向調整用の操作ノブ１０ｃとなる。前記プリント基板５には更に、風量を設定するロータリスイッチ５１を取り付け、風量を制御する制御部（図示せず）にスイッチ信号を送信する。このプリント基板５はケース４に設けられた弾力性を有する爪（図示せず）によってケース４の後側へ固定される。６は自動車本体に嵌め込まれる箱状のベースであり、２箇所にボス形状部６３が形成され、このボス形状部６３に、コントロールワイヤ６４を連結したギアレバー６２を回動自在に軸支している。このギアレバー６２は、風向や温度等を制御する制御装置（図示せず）に接続されたコントロールワイヤ６４を取り付けている。そして、上記ベース６は、外周部に設けられた凸部６１がケース４に設けられた凹部４２に嵌合してケース４に固定される。６５はかさ歯車６６と、その両端に軸部６７、６８を有する回転部材であり、この両端の軸部６７、６８がそれぞれベース６のボス形状部６３の上方に形成された円筒保持部６３ａとケース４に形成された後述する挿通保持孔４３に挿通して、回転自在に軸支されると共に、かさ歯車６６がギアレバー６２の歯に噛み合った状態となっている。また、前側の軸部６８の先端部に形成された連結部６９が操作ノブ１０に連結されており、各操作ノブ１０が手で回転されることによって、回転部材６５が回転してギアレバー６２ひいては、コントロールワイヤ６４に接続された制御装置を駆動して、風向きや温度等を制御するようになっている。
【００１５】
なお、本発明実施形態の表示装置は、操作ノブ１０、表示パネル１、ケース４、バルブ５２、５３等によって構成される。
【００１６】
次に、表示装置の要部ついて更に詳細に説明する。
操作ノブ１０は、円柱状の胴体部１１を有し、その胴体部１１の前側には操作ノブ１０を回転操作するための操作部である略直方体の把持部１２が設けられている。この把持部１２の一方側の側部には、透光性のレンズが設けられ、表示パネル１の裏面側（後側）からの光によって照明され、操作ノブ１０の操作位置を示す照明部である指針部１３を形成している。また、胴体部１１の後端には、回転部材６５の連結部６９と連結するノブ軸部１４が突出している。
【００１７】
表示パネル１は、略小判状の箱型で、遮光性の白色の樹脂、例えばアクリル−ブタジエン−スチレン（ＡＢＳ）樹脂などを白色に着色した樹脂の成形品であり、３つの操作ノブ１０ａ、１０ｂ、１０ｃがそれぞれが挿入される３つの円筒形の収納筒部１５、１６、１７が形成され、その収納筒部１５、１６、１７の表示面側の周縁にはそれぞれ、リング状の表示凸部１５ａ、１６ａ、１７ａが形成されている。そして、表示凸部１５ａの表面には冷暖房の温度を示す色表示が設けられたリング状の標示部１９が、表示凸部１６ａの表面には風量を示す色表示が設けられたリング状の標示部２０が、表示凸部１７ａの表面には風向き（吹出口の位置）を示す色表示が設けられたリング状の標示部２１がそれぞれインモールド成形によって形成され、表示パネル１の裏面からの光の照射によって標示部１９、２０、２１が照明されるようになっている。この標示部１９は、図３に示すように、表示パネル１の樹脂部分１ａに開口孔１９ａを設けて、インモールド成形により表示パネル１の前面部にインモールドインクを備えたフィルムを一体に形成し、その開口孔１９ａの表面側に透光性のインモールドインク層１９ｂを設けたものであり、標示部２０、２１も同様の構成となっている。また、標示部１９、２０、２１以外の表示パネル１の前面部の意匠部分には、黒色のインモールドインク層１ｂが設けられ、黒色に塗装されている。このように、表示パネル１を遮光性の白色部材で形成することにより表示パネル１表面に設けられた黒色のインモールドインク層１ｂにピンホール部が形成されても、表示パネル１の前面側への光漏れの心配がなく、別部材の遮光性のパネルを必要としない。また、表示パネル１の上下壁の後側には、中央に嵌合孔を有する嵌合爪部２２が各２個ずつ形成されている。
【００１８】
この表示パネル１の裏面側には、図１に示すように、中央に位置する収納筒部１６の後側（図１において下側）内周部から延出する円筒状の反射板２３が表示パネル１に一体的に設けられ、その反射板２３の両側部にはそれぞれ、バルブ５２からの光を操作ノブ１０の指針部１３へ透過するスリット２４、バルブ５３からの光を操作ノブ１０の指針部１３へ透過するスリット２５が形成されている。
【００１９】
一方、両側の収納筒部１５、１７の後端部にも前記反射板２３と同形状の円筒状の第２反射板２７が設けられている。この第２反射板２７のバルブ側にはそれぞれ、バルブ５２、５３からの光を操作ノブ１０へ透過する第２のスリット２９が設けられ、この第２反射板２７の外周面がバルブ５２、５３からの操作ノブ１０ａ、１０ｃ側への直接光を遮断する遮光部の役割をなす。また、第２反射板２７の他端側（バルブと離れた側）には、表示パネル１の裏面側両端壁部に光を透過する第１のスリット２８が設けられている。また、他端側の第２反射板２７には、その後端から延出し、操作ノブ１０のノブ軸部１４側に傾斜した平板状の第１反射板２６が形成され、後端部分が第２反射板２７と一体に形成されている。
【００２０】
ケース４は、図２に示すように、表示パネル１と同形状の箱型であり、底面の幅方向中央部には表示パネル１の収納筒部１５、１６、１７に対応する位置に、回転部材６５の軸部６８とロータリスイッチ５１の軸部５１ａを挿通する３つの挿通保持孔４３が設けられ、３つの挿通保持孔４３のそれぞれ中間部には光源であるバルブ５２、５３を挿通する２つのバルブ挿通孔４４が設けられている。そして、このバルブ挿通孔４４に、ケース４の裏側よりプリント基板５に配置されたバルブ５２、５３が挿通して、ケース４の内部に突出した状態となる。またケース４の前面側上下方向には、それぞれ各２個の嵌合凸部４１が形成されており、この嵌合凸部４１が表示パネル１に形成された嵌合爪部２２と嵌合して表示パネル１とケース４が結合される。
【００２１】
本実施形態は、上記のように構成されており、いま、バルブ５２、５３が点灯すると、表示パネル１の中央に位置する風量調整用の操作ノブ１０ｂ及び標示部２０においては、標示部２０はバルブ５２、５３からの直接光によって照明され、操作ノブ１０ｂの指針部１３は、図１の状態では、バルブ５３からの光が反射板２３のスリット２５を透過して照明される。なお、操作ノブ１０ｂが回動され指針部１３が反対側に位置した場合には、バルブ５２からの光が反射板２３のスリット２４を透過して照明される。
【００２２】
一方、温度調整用の操作ノブ１０ａ及び標示部１９においては、バルブ５２から離れた側に位置する標示部を右標示部１９Ｒ、バルブ５２側に位置する標示部を左標示部１９Ｌとすると、左標示部１９Ｌはバルブ５２からの直接光によって照明され、右標示部１９Ｒは、スリット２８を透過したバルブ５２からの光を白色部材によって形成された表示パネル１の裏面側壁部３０に照射させ、その反射光によって照明される。
【００２３】
操作ノブ１０ａの指針部１３においては、その指針部１３が図１の状態では、バルブ５２からの光が第２反射板２７のスリット２９を透過して指針部１３を照射し、操作ノブ１０ａが回動され指針部１３が反対側に位置した場合には、第１反射板２６に光を反射させ、その反射光によって指針部１３を照射して照明することができる。
【００２４】
また、第１反射板２６による反射光によっての指針部１３への光の照射量と、直接光による指針部１３への光の照射量とでは照射の条件が異なるが、直接光による照射をスリット２９を透過させた光によって照射するようにしているため、そのスリット２９の開口面積を調整するだけで指針部１３への照射量が均一化でき、操作ノブ１０ａをどの位置に回転させても指針部１３を均一に照明することができる。
【００２５】
さらに、バルブ５２からの光と第１反射板２６からの反射光の一部が、円筒状の第２反射板２７の内周面によって操作ノブ１０ａ方向へ反射され、操作ノブ１０ａの指針部１３をより高照度で照明することができるようになる。
【００２６】
さらにまた、第１反射板２６は、バルブ５２からの光を表示パネル１の裏面側壁部３０に照射させ方向に進む位置よりも更に後側（図１において下側）に形成されているため、表示パネル１の裏面側壁部３０に照射される光量の減衰は少ないので、右標示部１９Ｒは、表示パネル１の裏面側壁部３０からの充分な反射光によって照明される。
【００２７】
【発明の効果】
以上の説明から明らかなように、この発明は、表示パネルを白色部材で形成しているため表示パネルの裏面を反射面とすることができるとともに、表示パネルに板部を一体的に形成するだけで、その板部が反射板として機能するようになる。そして、光源からの光が白色反射面により乱反射され、反射方向に広く略均一に光が照射され、照射ムラのない反射光を得ることができる。
【００２８】
また、操作ノブ又は収納筒部の影になり光が遮断されて照射できない位置に操作ノブの指針部が位置していても、表示パネルに一体的に形成された第１反射板による反射光によって指針部を照射できるようになる。さらに、収納筒部の光源寄りの側壁に光源からの操作ノブへの光を遮断する遮光部を設け、該遮光部に操作ノブ側に光を導く第２スリットを設けているため、操作ノブへの光源からの直接光の照射量を第２スリットの開口面積を変更するだけで調整できるようになり、操作ノブの指針部がどの位置にある時でも均一に照明することが可能となる。
【００２９】
また、第１反射板に光源からの光を表示パネルの裏面側壁部に光を導く第１のスリットを設けることにより、収納筒部の光源から離れた位置にあり、操作ノブ又は収納筒部により光源からの光が遮断されて照射できない標示部を、表示パネルの裏面側壁部を反射面として利用することにより照射できるようになるため、標示部に光を導くレンズ等の導光板や反射板を別部材で設けたり、バルブの数を増やす必要のない、低コストの表示装置とすることができる。
【００３０】
さらにまた、収納筒部の後端内周部から延出する円筒状の第２反射板を設けることにより、光源からの光と第１反射板からの反射光の一部が、円筒状の第２反射板の内周面によって操作ノブ方向へ反射され、操作ノブの指針部をより高照度で照明することができるようになる。
【００３１】
【図面の簡単な説明】
【図１】本発明の表示装置の断面図である。
【図２】本発明の表示装置を採用した車両用ヒーターコントロール装置の分解斜視図である。
【図３】本発明の表示装置の標示部の拡大断面図である。
【符号の説明】
１        表示パネル
１０      操作ノブ
１２      把持部（操作部）
１３      指針部（照明部）
１５、１６、１７      収納筒部
１９、２０、２１      標示部
２６      第１反射板
２７      第２反射板（遮光部）
２８      第１のスリット
２９      第２のスリット
３０      裏面側壁部
５２、５３      バルブ（光源）
【図１】
0003621638.tif 000002
【図２】
0003621638.tif 000003
【図３】
0003621638.tif 000004